【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
画像処理システムにおいてワークの画像処理を実行する画像処理装置と、当該画像処理装置の設定をサポートするデータサーバとを有する設定サポートシステムであって、
前記画像処理装置は、
画像検査の設定データを記憶する記憶手段と、
前記画像処理装置に接続または一体化された撮像手段により取得されたワークの画像に対して、前記設定データにしたがった画像検査を実行する検査手段と、を有し、
前記データサーバは、
前記画像処理装置の前記記憶手段に記憶されている第一設定データとワークの画像とを取得する取得手段と、
前記第一設定データを編集して第二設定データを作成する編集手段と、
前記第二設定データと前記ワークの画像とを用いて、前記検査手段が実行する画像検査をシミュレーションするシミュレーション手段と、
前記第一設定データに基づいて前記画像検査を実行して得られた検査結果と、前記第二設定データに基づいて前記画像検査をシミュレーションすることで得られたシミュレーション結果とを外部のコンピュータに表示させるための表示データを作成する作成手段と、
前記表示データを前記外部のコンピュータに送信する送信手段と
を有することを特徴とする設定サポートシステム。
【請求項２】
前記データサーバは、前記外部のコンピュータから前記検査結果と前記シミュレーション結果との切替指示を受け付ける受付手段を有し、
前記送信手段は、前記切替指示に応じて前記検査結果と前記シミュレーション結果との少なくとも一方を前記外部のコンピュータに送信することを特徴とする請求項１に記載の設定サポートシステム。
【請求項３】
前記切替指示は、前記検査結果を単独で表示するための切替指示と、前記シミュレーション結果を単独で表示するための切替指示と、前記検査結果と前記シミュレーション結果とを同時に表示するための切替指示とのうちのいずれかであることを特徴とする請求項２に記載の設定サポートシステム。
【請求項４】
前記外部のコンピュータは、
前記画像処理装置とともに前記ワークを製造する工場に設置されている第一クライアント装置と、
前記工場の外部に設置されている第二クライアント装置と
を有し、
前記送信手段は、前記表示データを前記第一クライアント装置と前記第二クライアント装置との両方に送信するように構成されていることを特徴とする請求項１ないし３のいずれか一項に記載の設定サポートシステム。
【請求項５】
前記編集手段は、前記第二クライアント装置から入力された指示に従って前記第一設定データを編集して第二設定データを作成するように構成されていることを特徴とする請求項４に記載の設定サポートシステム。
【請求項６】
前記送信手段は、前記第二設定データを前記画像処理装置に反映させることの許可を求めるためのオブジェクトを前記第一クライアント装置に表示させる表示データを送信するように構成されていることを特徴とする請求項５に記載の設定サポートシステム。
【請求項７】
前記データサーバは、
前記第二設定データを前記画像処理装置に反映させることの許可を示す許可信号を前記第一クライアント装置から受信すると、前記第二設定データを前記記憶手段に書き込んで更新する更新手段をさらに有することを特徴とする請求項６に記載の設定サポートシステム。
【請求項８】
前記データサーバは、複数の画像処理装置に接続されており、
前記編集手段は、前記複数の画像処理装置のそれぞれの設定データを編集するように構成されていることを特徴とする請求項１ないし７のいずれか一項に記載の設定サポートシステム。
【請求項９】
前記作成手段は、前記編集手段により編集される前の設定データである前記第一設定データと前記編集手段により編集された後の設定データである前記第二設定データとの差分を表示する表示データを作成することを特徴とする請求項１ないし８のいずれか一項に記載の設定サポートシステム。
【請求項１０】
前記編集手段は、前記外部のコンピュータに含まれている複数のクライアント装置のうち一台のクライアント装置にのみ前記第一設定データの編集権限を付与するように構成されていることを特徴とする請求項１ないし９のいずれか一項に記載の設定サポートシステム。
【請求項１１】
前記編集手段は、前記外部のコンピュータに含まれている複数のクライアント装置のうち一台のクライアント装置にのみ前記第一設定データと関連付けられている他のデータの編集権限を付与するように構成されていることを特徴とする請求項１０に記載の設定サポートシステム。
【請求項１２】
前記編集手段は、前記外部のコンピュータに含まれている複数のクライアント装置のうち一台のクライアント装置にのみ前記設定データのアクセス権限を付与するように構成されていることを特徴とする請求項１乃至９のいずれか一項に記載の設定サポートシステム。
【請求項１３】
前記編集手段は、前記設定データが参照している他のデータに対するアクセス権限を前記一台のクライアント装置にのみ付与し、他のクライアント装置にはアクセス権限を付与しないように構成されていることを特徴とする請求項１２に記載の設定サポートシステム。
【請求項１４】
画像処理システムにおいてワークの画像処理を実行する画像処理装置と、データサーバと、クライアント装置とを有する設定サポートシステムであって、
前記画像処理装置は、
画像検査の設定データを記憶する記憶手段と、
前記画像処理装置に接続または一体化された撮像手段により取得されたワークの画像に対して、前記設定データにしたがった画像検査を実行する検査手段と、を有し、
前記データサーバは、
前記画像処理装置の前記記憶手段に記憶されている第一設定データとワークの画像とを取得する取得手段と、
前記取得手段により取得された前記第一設定データを前記クライアント装置からの指示に従って編集して第二設定データを作成する編集手段と、
前記第二設定データと前記ワークの画像とを用いて、前記検査手段が実行する画像検査をシミュレーションするシミュレーション手段と、
前記第一設定データに基づいて前記画像検査を実行して得られた検査結果と、前記第二設定データに基づいて前記画像検査をシミュレーションすることで得られたシミュレーション結果とを外部のコンピュータに表示させるための表示データを作成する作成手段と、
前記表示データを前記外部のコンピュータに送信する送信手段と、を有し、
前記クライアント装置は、
前記検査結果と前記シミュレーション結果を受信する受信手段と、
前記検査結果と前記シミュレーション結果を表示する表示手段と、
を有することを特徴とする設定サポートシステム。
【請求項１５】
前記シミュレーション手段は、前記第一設定データと前記ワークの画像とを用いて前記画像検査をシミュレーションするように構成されており、
前記作成手段は、前記第一設定データのシミュレーション結果を、前記第一設定データに基づいて前記画像検査を実行して得られた検査結果として使用するように構成されていることを特徴とする請求項１または１４に記載の設定サポートシステム。
【請求項１６】
前記取得手段は、前記第一設定データに基づいて前記画像検査を実行して得られた検査結果を前記画像処理装置から取得するように構成されており、
前記作成手段は、前記画像処理装置から取得された検査結果を、前記第一設定データに基づいて前記画像検査を実行して得られた検査結果として使用するように構成されていることを特徴とする請求項１または１４に記載の設定サポートシステム。
【請求項１７】
画像検査の設定データを記憶する記憶手段とワークの画像に対して前記設定データにしたがった画像検査を実行する検査手段とを有する画像処理装置と接続されるデータサーバであって、
前記画像処理装置の前記記憶手段に記憶されている第一設定データとワークの画像とを取得する取得手段と、
前記取得手段により取得された第一設定データを編集して第二設定データを作成する編集手段と、
前記第二設定データと前記ワークの画像とを用いて、前記検査手段が実行する画像検査をシミュレーションするシミュレーション手段と、
前記第一設定データに基づいて前記画像検査を実行して得られた検査結果と、前記第二設定データに基づいて前記画像検査をシミュレーションすることで得られたシミュレーション結果とを外部のコンピュータに表示させるための表示データを作成する作成手段と、
前記表示データを前記外部のコンピュータに送信する送信手段と
を有することを特徴とするデータサーバ。
【請求項１８】
画像検査の設定データを記憶する記憶手段とワークの画像に対して前記設定データにしたがった画像検査を実行する検査手段とを有する画像処理装置と接続されるデータサーバの制御方法であって、
前記画像処理装置の前記記憶手段に記憶されている設定データとワークの画像とを取得する取得工程と、
前記取得工程において取得された第一設定データを編集して第二設定データを作成する編集工程と、
前記第二設定データと前記ワークの画像とを用いて、前記検査手段が実行する画像検査をシミュレーションするシミュレーション工程と、
前記第一設定データに基づいて前記画像検査を実行して得られた検査結果と、前記第二設定データに基づいて前記画像検査をシミュレーションすることで得られたシミュレーション結果とを外部のコンピュータに表示させるための表示データを作成する作成工程と、
前記表示データを前記外部のコンピュータに送信する送信工程と
を有することを特徴とする制御方法。
【請求項１９】
請求項１７に記載のデータサーバの各手段としてコンピュータを機能させるプログラム。